(57)【要約】      （修正有）【課題】個別化されたデータアラートを促進するための方法、装置、システム及びコンピュータ読取可能媒体を提供する。【解決手段】情報ソースは、知識の専門家に発行するためのデータを提供する。管理者アクションは、個別にまたは自動で行う。データの発行後、１以上の個別化されたアラートが、知識の専門家の制御下にあるモバイルデバイスに送られ、割り当てられたアクションとともに、データのピースの提示につながる。知識の専門家は、アクションの割り当てを承認し、アクションを再度割り当て、アクションをレビューし、いつアクションが行われるかを示す。その後、これらの表示は、データ生成者又はデータ管理者を更新するために使用され、データの将来のピース及び／又は個別化されたアラートが提供される。【選択図】図２
2015092340.tif 000002
【特許請求の範囲】
【請求項１】
サービスの専門家との情報の共有を促進するための方法であって、
前記方法は、
１以上のサービスの専門家に発行するために生成された情報を、コンピューティングデバイスにより、電子データソースから受信するステップと、
前記コンピューティングデバイスにより、１以上の知識の専門家を前記情報の受信者として決定するステップと、
前記情報が前記知識の専門家により前記サービスの専門家に提供されるように、前記コンピューティングデバイスにより、前記１以上の知識の専門家と前記情報を共有するステップとを含み、
前記知識の専門家は、前記１以上のサービスの専門家との関係に少なくとも一部基づいて選ばれる方法。
【請求項２】
前記コンピューティングデバイスにより、前記知識の専門家に対する１以上のアラートを生成するステップと、
前記生成されたアラートを前記１以上の知識の専門家の１以上のコンピューティングデバイスに送るステップとをさらに含む請求項１に記載の方法。
【請求項３】
前記１以上の知識の専門家の決定を促進するために、前記コンピューティングデバイスにより、前記情報に１以上のビジネスルールを適用するステップをさらに含む請求項２に記載の方法。
【請求項４】
前記受信した情報に基づいて、１以上のアラートの決定を促進するために、前記コンピューティングデバイスにより、前記情報に１以上のビジネスルールを適用するステップをさらに含む請求項２に記載の方法。
【請求項５】
前記１以上の決定されたアラートの生成をさらに含む請求項４に記載の方法。
【請求項６】
前記コンピューティングデバイスにより、前記１以上の知識の専門家のアクティビティに関する更新を受信するステップをさらに含む請求項３に記載の方法。
【請求項７】
前記１以上のビジネスルールを適用するステップは、前記更新に前記１以上のビジネスルールを適用するステップを含む請求項６に記載の方法。
【請求項８】
前記更新を受信するステップは、前記１以上の知識の専門家に関係する１以上のコンピューティングデバイス上で、共有された情報を使用して行われるアクティビティに関する更新を受信するステップを含む請求項６に記載の方法。
【請求項９】
前記情報を共有するステップは、前記１以上の知識の専門家に関係する１以上のコンピューティングデバイス上で、ユーザインターフェースと情報を共有するステップを含む請求項１に記載の方法。
【請求項１０】
前記情報を共有するステップは、前記１以上の知識の専門家が前記共有された情報を修正できる、または、他の知識の専門家と前記情報を共有できるように、前記情報を共有するステップを含む請求項９に記載の方法。
【請求項１１】
前記１以上の知識の専門家をデータの受信者として決定するステップは、データ管理者からの決定を受信するステップを含む請求項１に記載の方法。
【請求項１２】
前記知識の専門家は、医薬品担当者を含む請求項１に記載の方法。
【請求項１３】
前記サービスの専門家はヘルスケア専門家を含む請求項１に記載の方法。
【請求項１４】
その上に書き込まれる命令を含む１以上のコンピュータ読取可能媒体であって、
前記命令は、コンピューティングシステム上での実行に応答して、前記コンピューティングシステムに、
１以上のサービスの専門家に発行するために生成された情報を電子データソースから受信させ、
１以上の知識の専門家を前記情報の受信者として決定させ、
前記情報が前記知識の専門家により前記サービスの専門家に提供されるように、前記１以上の知識の専門家と前記情報を共有させることにより、
前記コンピューティングシステムに、前記サービスの専門家との情報の共有を促進させ、
前記知識の専門家は、前記１以上のサービスの専門家との関係に少なくとも一部基づいて選ばれるコンピュータ読取可能媒体。
【請求項１５】
前記知識の専門家に対する１以上のアラートを生成することと、
前記生成されたアラートを前記１以上の知識の専門家の１以上のコンピューティングデバイスに送ることとをさらに含む請求項１４に記載のコンピュータ読取可能媒体。
【請求項１６】
前記命令はさらに、前記１以上の知識の専門家の決定を促進するために、前記コンピューティングシステムに、前記情報に１以上のビジネスルールを適用させるためのものである請求項１５に記載のコンピュータ読取可能媒体。
【請求項１７】
前記命令はさらに、前記受信した情報に基づいて、１以上のアラートの決定を促進するために、前記コンピューティングシステムに、前記情報に１以上のビジネスルールを適用させるためのものである請求項１５に記載のコンピュータ読取可能媒体。
【請求項１８】
前記命令はさらに、前記コンピューティングシステムに、前記１以上の決定されたアラートを生成させるためのものである請求項１７に記載のコンピュータ読取可能媒体。
【請求項１９】
前記命令はさらに、前記コンピューティングシステムに、前記１以上の知識の専門家のアクティビティに関する更新を受信させるためのものである請求項１６に記載のコンピュータ読取可能媒体。
【請求項２０】
前記更新の受信は、前記１以上の知識の専門家に関係する１以上のコンピューティングデバイス上での、共有された情報を使用して行われるアクティビティに関する更新の受信を含む請求項１９に記載のコンピュータ読取可能媒体。
【請求項２１】
前記情報の共有は、前記１以上の知識の専門家に関係する１以上のコンピューティングデバイス上での、ユーザインターフェースとの前記情報の共有を含む請求項１４に記載のコンピュータ読取可能媒体。
【請求項２２】
前記情報の共有は、前記１以上の知識の専門家が前記共有された情報を修正できる、または、他の知識の専門家と前記情報を共有できるような、前記情報の共有を含む請求項２１に記載のコンピュータ読取可能媒体。
【請求項２３】
サービスの専門家との情報の共有を促進するための装置であって、
前記装置は、
１以上のコンピューティングプロセッサと、
前記１以上のコンピューティングプロセッサにより、
１以上のサービスの専門家に発行するために生成された情報を、電子データソースから受信し、
１以上の知識の専門家を前記情報の受信者として決定し、
前記情報が前記知識の専門家により前記サービスの専門家に提供されるように、１以上の知識の専門家と前記情報を共有するように、動作するように構成されている１以上のモジュールとを備え、
前記知識の専門家は、前記１以上のサービスの専門家との関係に少なくとも一部基づいて選ばれる装置。
【請求項２４】
前記１以上のモジュールはさらに、
前記知識の専門家に対する１以上のアラートを生成し、
前記生成されたアラートを前記１以上の知識の専門家の１以上のコンピューティングデバイスに送るようにさらに動作する請求項２３に記載の装置。
【請求項２５】
前記情報の共有は、前記１以上の知識の専門家に関係する１以上のコンピュータデバイス上での、ユーザインターフェースとの前記情報の共有を含む請求項１４に記載のコンピュータ読取可能媒体。
【発明の詳細な説明】
【技術分野】
【０００１】
［関連出願に対する相互参照］
本出願は、その開示全体が参照によりここに組み込まれている、２０１３年１０月１１日に出願された、「Ｍａｎａｇｅｄ  Ｄａｔａ  Ｐｕｂｌｉｃａｔｉｏｎ」と題する米国仮特許出願である第６１／８８９，９２９号に対する優先権を主張する。
【背景技術】
【０００２】
ここで提供される背景の説明は、開示のコンテキストを全般的に提示することを目的としている。そうではないとここに示されていない限り、本セクションで説明される資料は、本出願中の特許請求の範囲に対する先行技術ではなく、本セクションに含まれていることにより先行技術であるとは認められない。
【発明の概要】
【発明が解決しようとする課題】
【０００３】
医師、サービスプロバイダおよび他の情報労働者のような、サービスの専門家は、自身のサービスをより良く行うために、業界情報（技法、機器、医薬品、標準治療について等）を頻繁に更新する必要がある。しかし、専門家が、自身の分野における進歩や発見について最新の知識を維持するのは難しいことが多い。これらの専門家が自身の知識やスキルを発展させるのを支援するために、医薬品の営業担当者のような、その他の知識の専門家が、サービスの専門家に対する情報の供給を頻繁に促進してもよい。しかし、この促進を行うこと自体が難しいタスクであることがある。これは、特に、最先端の知識が急速にまたは定期的に変更されるときにさらに難しくなる。
【０００４】
実施形態は、添付図面に関連した以下の詳細な説明により容易に理解されるだろう。この説明を促進するために、同様の参照番号は同様の構造的エレメントを指定する。実施形態は、添付図面の図において、限定としてではなく、例として示されている。
【図面の簡単な説明】
【０００５】
【図１】図１は、様々な実施形態にしたがった、コンテンツの配信および消費のための例示的な配置を示す。
【０００６】
【図２】図２は、様々な実施形態にしたがった、管理されたデータ発行のための例示的なプロセスを示す。
【０００７】
【図３】図３は、様々な実施形態にしたがった、データ更新を受信するための例示的なプロセスを示す。
【０００８】
【図４】図４は、様々な実施形態にしたがった、管理されたデータを管理および発行するための例示的なプロセスを示す。
【０００９】
【図５】図５は、様々な実施形態にしたがった、管理されたデータの管理および発行の間に利用される例示的なユーザインターフェースを示す。
【図６】図６は、様々な実施形態にしたがった、管理されたデータの管理および発行の間に利用される例示的なユーザインターフェースを示す。
【図７】図７は、様々な実施形態にしたがった、管理されたデータの管理および発行の間に利用される例示的なユーザインターフェースを示す。
【００１０】
【図８】図８は、様々な実施形態にしたがった、発行された管理されたデータを知識の専門家にアラートするための例示的なプロセスを示す。
【００１１】
【図９】図９は、様々な実施形態にしたがった、知識の専門家に対するアラートに関連して利用される例示的なユーザインターフェースを示す。
【図１０】図１０は、様々な実施形態にしたがった、知識の専門家に対するアラートに関連して利用される例示的なユーザインターフェースを示す。
【図１１】図１１は、様々な実施形態にしたがった、知識の専門家に対するアラートに関連して利用される例示的なユーザインターフェースを示す。
【図１２】図１２は、様々な実施形態にしたがった、知識の専門家に対するアラートに関連して利用される例示的なユーザインターフェースを示す。
【図１３】図１３は、様々な実施形態にしたがった、知識の専門家に対するアラートに関連して利用される例示的なユーザインターフェースを示す。
【図１４】図１４は、様々な実施形態にしたがった、知識の専門家に対するアラートに関連して利用される例示的なユーザインターフェースを示す。
【図１５】図１５は、様々な実施形態にしたがった、知識の専門家に対するアラートに関連して利用される例示的なユーザインターフェースを示す。
【００１２】
【図１６】図１６は、様々な実施形態にしたがった、本開示の様々な態様を実施するのに適した例示的なコンピューティング環境を示す。
【００１３】
【図１７】図１７は、様々な実施形態にしたがった、装置が本開示の様々な態様を実施できるように構成されている命令を持つ例示的な記憶媒体を示す。
【発明を実施するための形態】
【００１４】
ここで説明する実施形態は、例えば、知識の専門家のようなユーザに対する個別化されたデータアラートを促進するための方法、装置、システムおよびコンピュータ読取可能媒体に向けられている。様々な実施形態では、１以上の情報ソースが、知識の専門家に発行するためのデータを提供してもよい。データは、反復性フィード、ダウンロードされたファイル、データの手動更新、ソーシャルメディア経由、ウェブページ経由等のような、様々な形態で提供されてもよい。様々な実施形態では、データは、例えば、データをレビューすることがあり、データの受信者を識別してもよく、受信者にアクションを割り当ててもよいデータ管理者に提示されてもよい。いくつかの実施形態では、データ管理者は、個人であってもよい。様々な実施形態では、管理者アクションは、個別のデータのピースを参照して、個別ベースで行われてもよく、または、データのピースのグループに関して行われてもよい。様々な実施形態では、データ管理者はまた、レビューおよび管理のためにデータを別のデータ管理者にルートしてもよい。しかし、いくつかの実施形態では、データ管理者が使用されないことがあり、管理者アクションが自動で行われることがある。管理者アクションを行った後、管理者はデータの発行を可能にしてもよい。データの発行後、１以上の個別化されたアラートが、知識の専門家の制御下にあるモバイルデバイスのような、知識の専門家に送られてもよい。これらの個別化されたアラートは、発行されるデータの全てまたは一部を含んでもよく、テキスト、サウンドおよび数字での表示を含む様々な形態を取ってもよく、これらに関係した特定化された情報を有していてもよい。これらの個別化されたアラートは、割り当てられたアクションとともに、データのピースの提示につながってもよい。知識の専門家は、アクションの割り当てを承認してもよく、アクションを他の者に再度割り当ててもよく、自身または他者のアクションをレビューしてもよく、いつアクションが行われるかを示してもよい。これらの表示は、データ生成者またはデータ管理者を更新するために使用されてもよく、これにより、データの将来のピースおよび／または個別化されたアラートが、より広いコンテキストの完了したアクションまたは他の情報において提供されてもよい。いくつかのケースでは、追加の個別化されたアラートおよび／または発行を決定するために、提供されたデータおよび／またはアクションの表示にビジネスルールが適用されてもよい。
【００１５】
ここで説明する実施形態は知識の専門家に対するデータの発行を論じるが、いくつかの実施形態では、発行はサービスまたはシステムに対して行われてもよいことが留意されてもよい。例えば、発行は、発行された情報をプリントする、または、別の方法で利用可能にするシステムに対して行われてもよい。
【００１６】
以下の詳細な説明では、その一部が、全体を通して同様の数字が同様のパーツを指定するように形成され、実施されてもよい例示的な実施形態により示される、添付図面に対する参照が行われる。本開示の範囲から逸脱することなく、他の実施形態が利用されてもよく、構造的または論理的な変更が行われてもよいことを理解すべきである。それゆえ、以下の詳細な説明は、限定的な意味で取られるべきではなく、実施形態の範囲は添付の特許請求の範囲およびそれらの均等物により規定される。
【００１７】
次に、特許請求されている主題事項を理解するのに最も有用な方法で、複数の別々のアクションまたは動作として、様々な動作が説明されてもよい。しかし、説明の順序は、これらの動作が必ずしも順序に依存していることを示唆するように解釈されるべきではない。特に、これらの動作は提示した順序で行われなくてもよい。説明する動作は、説明する実施形態とは異なる順序で行われてもよい。様々な追加の動作が行われてもよく、および／または、追加の実施形態では説明する動作が省略されてもよい。
【００１８】
本開示の目的のために、「Ａおよび／またはＢ」というフレーズは、（Ａ）、（Ｂ）あるいは（ＡおよびＢ）を意味する。本開示の目的のために、「Ａ、Ｂおよび／またはＣ」というフレーズは、（Ａ）、（Ｂ）、（Ｃ）、（ＡおよびＢ）、（ＡおよびＣ）、（ＢおよびＣ）あるいは（Ａ、ＢおよびＣ）を意味する。
【００１９】
説明は、「実施形態（ａｎ  ｅｍｂｏｄｉｍｅｎｔ）では」または「実施形態（ｅｍｂｏｄｉｍｅｎｔｓ）では」というフレーズを使用してもよく、これは、それぞれ、同じまたは異なる実施形態のうちの１以上のことを指してもよい。さらに、「備える」、「含む」、「有する」という用語およびこれらに類するものは、本開示の実施形態に関して使用されるように、同義語である。
【００２０】
ここで使用されるように、「論理」および「モジュール」という用語は、特定用途向け集積回路（ＡＳＩＣ）、電子回路、プロセッサ（共有、専用またはグループ）および／または１以上のソフトウェアまたはファームウエアプログラムを実行するメモリ（共有、専用またはグループ）、計算論理回路、ならびに／あるいは、説明する機能性を提供する他の適切なコンポーネントのことを指してもよく、これらの一部であってもよく、あるいは、これらを含んでもよい。
【００２１】
ここで図１を参照すると、様々な実施形態にしたがった、コンテンツの配信および消費のための配置が示されている。図１に示すように、様々なデータソース１２０が、管理されたデータ記憶装置１３０にデータを提供してもよい。様々な実施形態では、これらのデータソース１２０は、例えば知識の専門家を通してサービスの専門家に提供されてもよいデータを有する１以上のデータ生成者１１０により提供されてもよい。例えば、データソース１２０は、営業担当者に供給するために医薬品製造者のようなデータ生成者１１０により提供されてもよい。その後、営業担当者は、医師または他の医療専門家とのデータの共有を促進してもよい。他の実施形態では、他のタイプの情報の供給あるいは医療機器製造者または他の製品の製造者または他の情報のプロデューサのような、他のタイプのデータ生成者１１０のために、ここで説明する技法が利用されてもよい。様々な実施形態では、データ生成者１１０から提供される情報は、例えば、これらに限定されないが、処方医薬品または医療機器についての情報を含む、様々な主題に関するデータを含んでもよい。管理されたデータ記憶装置１３０は、説明の目的のために記憶デバイスとして示されてもよいが、様々な実施形態では、管理されたデータ記憶装置１３０は、データの受信および記憶を管理するための１以上のコンピューティングデバイスを含んでもよいことが留意されてもよい。
【００２２】
様々な実施形態では、（データ生成者１１０により提供される）データソース１２０は、データの供給についての様々な技術を含んでもよい。例えば、いくつかの実施形態では、データソース１２０は、ＲＳＳまたは他の更新可能なフィード技術のような、更新されたデータを提供する１以上のフィードを含んでもよい。データは、例えば、ＸＭＬのような様々なフォーマットで提供されてもよい。いくつかの実施形態では、管理されたデータ記憶装置１３０は、フィードからの更新されたデータを周期的に要求するように構成されていてもよい。いくつかの実施形態では、データソース１２０は、管理されたデータ記憶装置１３０に直接アップロードされてもよい（または、管理されたデータ記憶装置１３０によりダウンロードされてもよい）１以上のファイルを含んでもよい。例えば、いくつかの実施形態では、スプレッドシートのような、データ更新のファイルは、ＦＴＰ、セキュアＦＴＰ（ｓＦＴＰ）または他の技術を使用して、管理されたデータ記憶装置１３０にアップロードされてもよい。他の実施形態では、データは、ウェブサイトから、ウェブサービスまたは他のＡＰＩを通して、あるいは、他の形態のサーバ−サーバ通信を通して等、他の手段を通して提供されてもよい。他の実施形態では、データは、１以上のユーザが手でデータを入力するような、手動更新を通じて、データ記憶装置に提供されてもよい。様々な実施形態では、データ生成者１１０は、サービスの専門家に情報を提供するために、単一のデータソース１２０を利用してもよく、または、複数のデータソース１２０を利用してもよい。
【００２３】
様々な実施形態では、データ管理モジュール１５０（「ＤＭＭ１５０」）は、管理されたデータ記憶装置１３０からデータを取得するように、および、１以上の知識の専門家に発行するためのデータを提供するように、構成されていてもよい。実施形態では、発行前に、ＤＭＭ１５０は、データ管理者に対するデータ（および／またはデータに関するサマリーまたはメタデータ）の表示を促進するように構成されていてもよい。データ管理者は、１以上の知識の専門家によるデータへのアクセスを制御することをＤＭＭ１５０により促進されてもよい。様々な実施形態では、ＤＭＭ１５０は、知識の専門家のデバイス上のような、知識の専門家に対する、個別化されたアラートをトリガするようにデータの１以上のピースを設定する。別の例では、ＤＭＭ１５０は、データの１以上のピースの修正を促進してもよい。様々な実施形態では、ここでの「アラート」という用語の使用は、実施形態を、任意の特定の形態のアラートに対して要求する、または、任意の特定の形態のアラートに制限するように読まれるべきではない。アラートは、特定の知識の専門家に送るために発行および／または選択されるデータの全てまたは一部を含んでもよく、テキスト、オーディオおよび数字の表示を含む様々な形態を取ってもよく、これらに関係する特定化された情報を有していてもよい。
【００２４】
別の例では、ＤＭＭ１５０は、データのピースに関係するような、および／または、特定の知識の専門家により行われるような、１以上のアクションの割り当てを促進してもよい。ＤＭＭ１５０はまた、特定の知識の専門家に対するデータの選択的な発行を可能にするように構成されていてもよく、これにより、データ管理者は、知識の専門家に対する情報のリリースのレートおよび／またはタイミングを制御してもよい。この選択的な発行および知識の専門家の選択は、特定の知識の専門家に対するアラートをより良く個別化するために役立つことがある。いくつかの実施形態では、ＤＭＭ１５０はまた、特有のコンテンツをアクションまたは推奨に割り当てることを可能にしてもよい。ＤＭＭ１５０はまた、他のソースからのコンテンツの取得を促進してもよく、これは次に追加のアクションをトリガしてもよい。ＤＭＭ１５０はまた、例えば、同様のトピックに関する、または、同様のデータ生成者により生成された情報を組み合わせることにより、異なるデータソースからの情報の組み合わせを促進してもよい。このため、ＤＭＭ１５０は、管理されたデータ生成中の動的なコンテンツ生成を促進してもよい。
【００２５】
様々な実施形態では、ＤＭＭ１５０の様々なアクションはデータ管理者のアクションにより仲介されてもよい。様々な実施形態では、ＤＭＭ１５０のアクションは、１以上のビジネスルール１５５の自動アクションを通して生成されてもよい。様々な実施形態では、ビジネスルールは、発行されたデータおよび／または様々な知識の専門家から受信したデータ更新に対してＤＭＭ１５０により適用されるように構成されていてもよい。ビジネスルールのこのような適用を通して、ＤＭＭ１５０は、特定の情報に対して生成されてもよいアラートの決定、アラートの生成、知識の専門家により行われることになるアクションの割り当て、発行前のデータの修正、異なるデータソースからの情報の組み合わせ等を提供してもよい。例えば、アラートは、医薬品担当者により医師と共有されてもよい薬剤に関する新規の情報を提供してもよい。その後、このアラートは、医薬品担当者によるフォローアップのために医療スペシャリストにパスされてもよい。別の例では、知識の専門家が、その患者のパネルを担当する医師に連絡すること、および、適切な情報を提供することを促進するための、患者パネル中のある数の人々が特定の疾患を有するという事実のような、特定の患者グループに関する情報である。様々な実施形態では、割り当てられたアクションは、複数の関連するアクションを含んでもよく、医師または他のサービスの専門家のような、第三者のアクションまたは反応に基づいて行われてもよい推奨されるアクションを含んでもよい。したがって、１つの例では、医薬品担当者は、新規の薬剤に関して最初に医師にｅメールを送り、続いて、ｅメールに対する医師の反応に基づいて利用するための一連の反応を与えられることを提案されてもよい。他の例では、推奨される二次的なアクションは、他の知識の専門家または他の第三者により取られるアクションに基づいていてもよい。
【００２６】
発行時に、発行されたデータは、知識の専門家の制御下の、または、そうでなければ、知識の専門家に関係する、ユーザデバイス１７０に送られてもよい。様々な実施形態では、ユーザデバイス１７０は、スマートフォン、タブレットコンピュータ、ラップトップ、コンピュータ、デスクトップコンピュータおよび／または他のコンピューティングデバイスを含んでもよい。発行されたデータは、セルラデータネットワーク、ＷｉＦｉ（登録商標）ネットワーク、ブルートゥース（登録商標）、インターネット等のような、様々なネットワークおよび／または他の通信プロトコルを通じて送られてもよい。図１に示すように、ユーザデバイス１７０はまた、ＤＭＭ１５０により発行されているデータの全てまたは一部を受信および表示するように構成されていてもよい、管理されたデータユーザインターフェースモジュール１８０（「ＭＤＵＩ  １８０」）とともに構成されていてもよい。様々な実施形態では、データの発行に関係して、ＭＤＵＩ  １８０は、ユーザデバイス１７０における１以上の視覚的および／オーディオのアラートの発生を促進するように構成されていてもよい。いくつかの実施形態では、１以上のアラートの発生は、アラートの表示または他の発生を生じさせるように構成されている、ユーザデバイス１７０上のオペレーティングシステムまたは他のソフトウェアにより促進されてもよい。
【００２７】
アラートの発生の促進に加えて、ＭＤＵＩ  １８０は、ユーザデバイス１７０に関係する知識の専門家に対して発行されたデータの全てまたは一部の表示を促進するように構成されていてもよい。データの表示の特定の例を以下に説明する。様々な実施形態では、表示は、更新されたデータ自体とともに、ユーザデバイス１７０に関係するデータおよび／または知識の専門家に関係する１以上のアクションを含んでもよい。様々な実施形態では、ＭＤＵＩ  １８０は、他の知識の専門家に関係する、あるいは、割り当てられていないアクションのような、知識の専門家に関係しないデータおよび／またはアクションを表示するように構成されていてもよい。様々な実施形態では、ＭＤＵＩ  １８０はまた、知識の専門家が、アクションを承認し、アクションを再度割り当て、および／または、完了したとしてアクションをマークすることが可能になるように構成されていてもよい。様々な実施形態では、ＭＤＵＩ  １８０は、例えば、サービスの専門家（例えば、医師または他のヘルスケア提供者）との通信を促進するとともに、他の通信アクションを行うように構成されていてもよい１以上のアクション／通信モジュール１９０と通信するように構成されていてもよい。ＭＤＵＩ  １８０はまた、プリントフルフィルメントハウスへの管理されたデータの送信、サービスの専門家への処方サンプルの供給、イベント予約システムの利用、さらにソーシャルメディアサービスまたはウェブページのような、他の通信技術に対するデータの送信のような、外部アクションのトリガを促進するように構成されてもよい。
【００２８】
これらのアクションを行ったことに基づいて、例えば、データの特定のピースがサービスの専門家と共有されていること、あるいは、アラートまたはアクションがクリアされていることを示す更新のような、アクション更新が生成されてもよい。様々な実施形態では、更新は、共有されているデータ、送達されているアラート、形成されているアクション、データを共有したサービスの専門家に関する識別子（または他の情報）を含んでもよい。その後、これらの更新は、データが生成され、共有され、または管理される方法での更新を可能にするために、様々なエンティティと共有されてもよい。例えば、様々な実施形態では、アクション更新は、データ生成者１１０が、データソース１２０を通して送るデータを修正し、その後、次に、管理されたデータ記憶装置１３０に提供されるデータを更新するために、データ生成者１１０と共有されてもよい。様々な実施形態では、アクション更新は、ＤＭＭ１５０が、データソース１２０から受信したデータの管理を修正するために、ＤＭＭ１５０と共有されてもよい。したがって、更新を受信することにより、ＤＭＭ１５０は、知識の専門家がサービスの専門家にデータを提供することをより良く促進するために、アラートの生成および／またはデータの発行を修正してもよい。
【００２９】
ここで図２を参照すると、様々な実施形態にしたがった、管理されたデータ発行のための例示的なプロセス２００が示されている。様々な実施形態では、図２は特定の例示的な動作を示すが、プロセスは、追加の動作を含んでもよく、示した動作を省略してもよく、および／または、示した動作を組み合わせてもよい。プロセスは、１以上のデータ更新を受信する管理されたデータ記憶装置１３０により、動作２１０において開始してもよい。データ更新を受信する特定の実施形態は、図３のプロセス３００を参照して以下に説明する。次に、動作２２０において、ＤＭＭ１５０は、データ管理者が、データを管理および発行するのを促進してもよい。データを管理および発行する特定の実施形態は、図４のプロセス４００を参照して以下に説明する。次に、動作２３０において、知識の専門家は、例えば、ＤＭＭ１５０において、データソースによるデータの発行をアラートされてもよい。ユーザアラートの特定の実施形態は、図５のプロセス５００を参照して以下に説明する。次に、動作２４０において、知識の専門家は、１以上のアクションを行ってもよい。いくつかの実施形態では、アクションは、例えば、発行された管理された情報のピースを転送すること、サービスの専門家に話しかけること、サービスの専門家を訪問すること等のような、サービスの専門家に情報を通信する１以上のアクションにより、完了されてもよい。他の実施形態では、他のアクションが促進されてもよい。知識の専門家は、動作２５０においてＤＭＭ１５０におけるアクション完了に気づいてもよい。
【００３０】
次に、動作２６０において、データ生成者１１０および／またはＤＭＭ１５０が、完了したアクションにより更新されてもよい。さらに、報告およびアクション追跡が行われてもよい。例えば、どの知識の専門家がアクションに関して行動したか、どのサービスの専門家が推奨を使用したか、どんなタイプの実行が行われたか等のような情報は、更新後に収集されてもよく、報告が返されてもよい。このような報告は、例えばＤＭＭ１５０を通してデータ管理者に対して行われてもよい。その後、プロセスは繰り返してもよく、または、その後、終了してもよい。
【００３１】
ここで図３を参照すると、様々な実施形態にしたがった、データ更新を受信するための例示的なプロセス３００が示されている。図３は、特定の例示的な動作を示すが、様々な実施形態では、プロセスは、追加の動作を含んでもよく、示した動作を省略してもよく、および／または、示した動作を組み合わせてもよい。プロセスは、動作３１０において開始してもよく、ここで、管理されたデータ記憶装置１３０は、ＲＳＳまたはＡｔｏｍフィードのような、データフィードを通じて、１以上のデータ更新を受信してもよい。様々な実施形態では、これらのデータ更新は、これらに限定されないが、ＨＴＭＬ、ＸＭＬまたは他のフォーマットのような、様々なフォーマットで提供されてもよい。いくつかの実施形態では、周期的に更新されるウェブページは、１以上のデータ更新を提供するために利用されてもよい。動作３２０において、管理されたデータ記憶装置１３０はまた（もしくは先のアクションの代わりに）、スプレッドシートまたはデータ更新を含む他のファイルのような、ダウンロードされたファイルまたはアップロードされたファイルを通じて、１以上のデータ更新を受信してもよい。これらのファイルは、例えば、ＦＴＰ、ファイル同期サービス（例えば、Ｄｒｏｐｂｏｘ（登録商標）のような）等を通じて、データソース１２０からのアップロードおよび／またはダウンロードを通じて提供されてもよい。動作３３０において管理されたデータ記憶装置１３０モジュールは、直接入力されたデータ更新を受信してもよい。例えば、データソース１２０に関係するユーザは、紙の情報ソースからのような、データを、直接入力してもよい。他の実施形態では、データは、紙のソースからスキャンおよび認識されてもよく、または、ウェブサイト上のような、他の発行された情報に基づいて入力されてもよい。データ更新の受信後、どんな手段によってでも、プロセスを終了してもよい。
【００３２】
ここで図４を参照すると、様々な実施形態にしたがった、管理されたデータを管理および発行するための例示的なプロセス４００が示されている。図４は特定の例示的な動作を示すが、様々な実施形態では、プロセスは、追加の動作を含んでもよく、示した動作を省略してもよく、および／または、示した動作を組み合わせてもよい。プロセスは、動作４１０において開始してもよく、ここで、レビューのためにデータ管理者にデータが提示される。様々な実施形態では、データの複数のピースがデータ管理者にともに提示されてもよい。例えば、図５は、レビューのためにデータ管理者にデータを提示するための、ＤＭＭ１５０により提供されてもよいような、例示的なユーザインターフェース５００を示す。図５の例において示すように、データの各ピースは、タイトル、提案アクション、期限日、提案されたサービスの専門家等のような、情報を含んでもよい。他の実施形態では、他の情報が、示され、特定の管理されたデータに関係していてもよい。図５の例はまた、データのピース（および／またはアクション）を特定の知識の専門家に割り当てること（「割り当て」）、データに対する１以上の修正を行うこと（「編集」）、または、データのピースを削除すること（「削除」）のような、データのピースに関して行われてもよいアクションを示す。図５の例では、バッチ編集または知識の専門家に対するバッチ割り当てのような、バッチアクションに含めるために、データの個別のピースがデータ管理者により選択されてもよいことも留意されてもよい。図６は、図５のものと同様の例を示し、プロセスにおいてデータのどのピースが完了したか、または、まだ開始していないアクションであるかについてのデータ管理者に対する表示を含む。
【００３３】
図４に戻ると、次に、動作４２０において、ＤＭＭ１５０は、データ管理者からのような、１以上のデータ修正を受信してもよい。したがって、図４の例では、データ管理者は、データ管理者がデータのピースを修正することを希望することを示すために、「編集」のユーザインターフェースエレメントを作動させてもよい。図６は、データを編集するための例示的なユーザインターフェースを示す。例において示すように、タイトル、記述、要求されるアクション、推奨されるアクション、割り当てられるサービスの専門家（例では、「ＨＣＰの割り当て」）、割り当てられる知識の専門家（例では、「ＲＥＰの割り当て」）、優先度、期限日および／または参照を含む、データの１以上のパーツが提示されてもよい。さらに、図７の例に示すように、提示されたデータパーツのうちの１以上が保護されるか、または、そうでなければ編集不可であってもよい（例えば、例では、タイトル、記述、要求されるアクションおよび推奨されるアクション）。様々な実施形態では、データのいくつかのパーツは、情報の１より多いピースを可能にしてもよいことも留意されてもよい。例えば、複数の知識の専門家が、情報の特定のピースに割り当てられてもよい。いくつかの実施形態では、これらの知識の専門家が、データの特定のピースおよび／またはアクションに彼らを割り当てることを促進されてもよい。同様に、いくつかの実施形態では、複数のアクションがいつ要求および／または推奨されてもよいかのような、複数の期限日が、データの特定のピースに割り当てられてもよい。
【００３４】
図４に戻ると、動作４３０において、ＤＭＭ１５０はデータの１以上の受信者を決定してもよい。いくつかの実施形態では、データに対する受信者は、データのピースにおける情報に基づいて、ＤＭＭ１５０により提案されてもよい。この推奨は、特定のサービスの専門家との連絡に基づいて、知識の専門家にデータを送ることであってもよい。例えば、データのピースが、医薬品製造者から到来し、特定のタイプの患者に対する特定の薬剤の処方に関連する場合に、ＤＭＭ１５０は、例えば、これらの特定のタイプの患者とともに働く医薬品担当者を提案してもよい。別の例では、知識の専門家は、データのピースの主題事項またはデータのピースに関連する他の要因との馴染み深さに基づいて、ＤＭＭ１５０により推奨されてもよい。他の実施形態では、知識の専門家は、過去の奏効率、現在のワークフローリソース、サービスの専門家にセールスする意志等のような、データのピースに関連しない理由のために、ＤＭＭ１５０により推奨されてもよい。他の実施形態では、ＤＭＭ１５０は、受信者を決定しなくてもよいが、その代わりに、データ管理者のような、別の者からの割り当てを受信してもよく、あるいは、レビューおよび修正の可能性のためにデータ管理者に対する推奨を提示してもよい。
【００３５】
図４に示したような、受信者の決定に加えて、ＤＭＭ１５０は、動作４４０において、データ受信者に対するアクションを受信してもよい。いくつかの実施形態では、これらのアクションは、データのピース自体とともに直接受信されてもよい。他の実施形態では、ここで説明するように、データ管理者は、特定のアクションを提供してもよい。図４に示すように、ＤＭＭ１５０はまた、動作４５０において受信ロケーションを決定してもよい。様々な実施形態では、この受信ロケーションは単に、情報のピースを受信することになる知識の専門家のユーザデバイス１７０であってもよい。しかし、他の実施形態では、受信者ロケーションは、メッセージングセンターまたはコピーセンターあるいはプリンタのような、第三者ロケーションであってもよく、ここで、受信者は情報を送るおよび検索することができる。最終的に、動作４６０において、ＤＭＭ１５０は（データに関係する任意のアクションとともに）様々な受信者に対するデータを生じさせてもよい。その後、プロセスは終了してもよい。
【００３６】
プロセス４００はデータ管理者のアクションを参照して説明されるが、様々な実施形態では、プロセス４００のアクションのうちの１以上はＤＭＭ１５０により自動的に行われてもよいこともまた認識されてもよい。特に、様々な実施形態では、ＤＭＭ１５０は、ビジネスルール１５５のうちの１以上を、データフィードに対して、さらにサービスの専門家、知識の専門家についての情報および／またはプロセス４００のアクションを行うための受信された更新に対して、適用するように構成されていてもよい。したがって、様々な実施形態では、ＤＭＭ１５０は、以下のうちの１以上を行ってもよい：データ修正の決定（動作４２０）、１以上の受信者の決定（動作４３０）、データ受信者に対するアクションの決定（動作４４０）、受信ロケーションの決定（動作４５０）、および／または、ＤＭＭ１５０に入手可能な情報に対するこれらのビジネスルールの適用に基づく、アクションを伴うデータの発行（動作４６０）。
【００３７】
ビジネスルール自体の特定の実現とともに、データフィードに対するビジネスルールの適用、サービスの専門家、知識の専門家についての情報および／または受信された更新が、当業者により理解されてもよいが、様々な例示的な実施形態が続く。様々な実施形態では、ビジネスルール１５５は、サービスの専門家との対話から得られた知識の専門家の情報に基づく情報に適用されてもよい。
【００３８】
例えば、医師を訪問後または訪問中に、医薬品担当者は、医師が４人の新規にやって来るメラノーマ患者を担当することを計画していること、または、医師が、特定の薬剤の投与についてのさらなる学習に興味があることに気づくことがある。ビジネスルール１５５は、ＤＭＭ１５０によりこれらの気づきに適用され、その医師または他の同様の状況に置かれた医師と対話する担当者または他の知識の専門家に対するアラートをトリガしてもよい。
【００３９】
別の例では、特定のイベント（オンラインまたは対面のいずれか）に参加するだろうことを医師が示した場合に、ＤＭＭ１５０は、ビジネスルール１５５をその反応に適用させてもよく、その結果、医師が推奨されるはずの同様のイベントをシステム的にタグ付けまたは捕捉してもよい。その後、ＤＭＭ１５０は、次に、これらのイベントに対する推奨を提供するために知識の専門家に対するアラートを生成させてもよい。
【００４０】
さらに別の例では、サービスの専門家に関するポールがＤＭＭにより生成され、１以上の知識の専門家に送られてもよい。受信した同僚の入力に対するビジネスルール１５５の適用に基づいて、ＤＭＭ１５０は、それらの連絡先リストに基づいて、知識の専門家に対するアラートを生成してもよい。例えば、特定の病院において誰が「キーステークホルダー」なのかに関するポールが医薬担当者に送出されてもよい。最大の反応が、「スミス医師」がキーとなるオピニオンリーダーまたはデシジョンメーカーであるというものであった場合、ＤＭＭ１５０は、病院に関して収集される将来のデータに、この情報を結びつけてもよい。スミス医師に割り当てられたさらなる担当者は、彼らが行動するアクティビティまたは推奨とともにアラートをＤＭＭ１５０から受信してもよい。
【００４１】
別の例では、ＤＭＭ１５０は、知識の専門家および／またはサービスの専門家に対するカレンダーの変更にビジネスルール１５５を適用して、修正されたカレンダーとより良く整列されるアラートを生成させ、または、修正されたカレンダーとより良く整列されるデータを発行してもよい。
【００４２】
さらに別の例では、ＤＭＭ１５０は、コンテンツのタイプにビジネスルール１５５を適用してもよい。したがって、知識の専門家に関係するコンテンツのタイプは、ビジネスルールの適用後にアラートを生成してもよい。例えば、医師が償還のガイドを要求した場合に、特定の薬剤に対する保険または処方集の承認に対する変更があると、医師に関連する特定の償還／支払者アクセスチームが行動するためにアラートが生成されてもよい。
【００４３】
言及したように、さらに別の例では、ＤＭＭ１５０は、通信に関する情報にビジネスルールを適用してもよい。したがって、知識の担当者が、サービス担当者と話すスペシャリストを探すための要求を開始した場合に、特定のアラートが生成されてもよい。
【００４４】
図に戻り、ここで図８を参照すると、様々な実施形態にしたがった、発行された管理されたデータを知識の専門家にアラートするための例示的なプロセス８００が示されている。図８は特定の例示的な動作を示すが、様々な実施形態では、プロセスは、追加の動作を含んでもよく、示した動作を省略してもよく、および／または、示した動作を組み合わせてもよい。プロセスは動作８１０において開始してもよく、ここで、知識の専門家に対するユーザデバイス１７０は、例えばＤＭＭ１５０から、デバイス上でアラートを受信してもよい。様々な実施形態では、アラートは、例えば、ユーザデバイス１７０上のオペレーティングシステムまたは他のソフトウェアにより促進されるプッシュベースのアラートシステムにより、デバイス上で受信した他のアラートと一致する方法で、受信されてもよい。他の実施形態では、アラートはＭＤＵＩ  １８０に特有のソフトウェアまたは他のソフトウェアにより促進されてもよい。
【００４５】
図８の例に示すように、動作８２０において、アラートの受信後に、知識の専門家は、その後、ユーザデバイス１７０上で、管理されたデータをオープンしてもよい。その後、知識の専門家は、動作８３０において、データの１以上のピースおよび／または知識の専門家により行われてもよいアクションを提示されてもよい。様々な実施形態では、その後、データを受信した知識の専門家は、動作８４０において、発行された管理されたデータのピースに関係する特定のアクションに自身を割り当ててもよい。いくつかの実施形態では、知識の専門家は、別の知識の専門家を特定のアクションに再度割り当ててもよい。いくつかの実施形態では、知識の専門家がアクションの再度の割り当てを選んだ場合、ＭＤＵＩ  １８０は再度の割り当てを促進するインテリジェントディレクトリを表示してもよい。ＭＤＵＩ  １８０は、インテリジェントディレクトリが、再度割り当てられてもよいこれらのアクション、他のどの知識の専門家にアクションを再度割り当ててもよいか、どのタイプのアラートを利用してもよいか等を含むように構成されてもよい。様々な実施形態では、どのオプションがインテリジェントディレクトリにおいて知識の専門家に提示されるかを決定するために、１以上のルールがＭＤＵＩ  １８０により知られてもよく、管理されたデータ中の情報に基づいて適用されてもよい。いくつかの実施形態では、１以上のアクションは任意の受信した知識の専門家により割り当て可能でないことがある。このようなアクションは、特定の知識の専門家に予め割り当てられるようになってもよい。その後、プロセスは終了してもよい。
【００４６】
管理されたデータを知識の専門家に提示するように構成されているＭＤＵＩ  １８０のユーザインターフェースの例が、図９〜図１５において見られてもよい。図９の例では、様々なアクションを持つタイルが知識の専門家によりＭＤＵＩ  １８０においてレビューされるために示されている。示されたタイルのそれぞれは、アクションが行われてもよいサービスの専門家を示す。さらに、完了したこれらのアクションは、このような完了の表示、例えば、緑色のチェックマークを示してもよい。示すように、いくつかの実施形態では、アイコン（例えば、電話または封筒のアイコン）は、特定のアクションが電話またはメール／ｅメールにより行われてもよいことを示すのに使用されてもよい。さらに、図９に示すユーザインターフェースはまた、様々なタイルを、推奨されるアクション（特定の受信した知識の専門家に対して推奨されていることを意味する）、および／または、オープンアクション（受信した知識の専門家が行うことを承認しているが、まだ完了していないことを示す）として示す。
【００４７】
図１０は、図９に示したものと同様に、推奨されるアクションタイルがタイムライン上に表示される、ＭＤＵＩ  １８０の例示的なユーザインターフェースを示す。様々な実施形態では、例えば、期限日または推奨される次のアクションの日付にしたがって、タイムライン上でタイルが編成されてもよい。図１１は、アクションが行われてもよいサービスの専門家にしたがって示される推奨されるアクションタイルを示すＭＤＵＩ  １８０の例示的なユーザインターフェースを示す。示すように、様々な実施形態では、ＭＤＵＩ  １８０は、特定のサービスの専門家に対する完了されたおよび／または完了されていないアクションを示してもよい。示すように、ＭＤＵＩ  １８０はまた、完了していないこれらのアクションのような、現在オープンなアクションを示してもよい。このような現在オープンなアクションは、ユーザインターフェースの下部におけるタイルで示されてもよく、これは、知識の専門家が自身を追加のアクションに割り当てる能力を決定することを促進してもよい。図１２は、データのピースおよび関係するアクションに関する追加の情報を持つＭＤＵＩ  １８０の例示的なユーザインターフェースを示す。示すように、タイルは、示された例に対する８月１４日のような、アクションに対する推奨される期限日を示してもよい。図１３は、ＭＤＵＩ  １８０の代替的な例示的なユーザインターフェースを示し、ここで、データのピースおよびアクションはリストビューで示される。特定のユーザインターフェースがここで示されてもよいが、これらは、本開示を、ユーザインターフェースの任意の特定の形態、または、任意の特定の通信される情報のいずれにも限定することを意味しないことが認識されてもよい。図１４は、管理されたデータとともにアクションを示すＭＤＵＩ  １８０の追加の例示的なユーザインターフェースを示す。図１５は、例えば、イベントの招待を送ることにより、または、フェイス・ツー・フェイスでのサービスの専門家とのミーティングをスケジューリングすることにより、知識の専門家が管理されたデータに関してアクションを取ることを促進する１組のユーザインターフェースエレメントとともに、図１４の例示的なユーザインターフェースを示す。
【００４８】
ここで図１６を参照すると、様々な実施形態にしたがった、ここで説明するプロセスを含む、本開示の様々な態様を実施するのに適した例示的なコンピュータが示されている。示すように、コンピュータ１６００は、１以上のプロセッサまたはプロセッサコア１６０２ならびにシステムメモリ１６０４を備えてもよい。特許請求の範囲を含むこの適用の目的のために、「プロセッサ」および「プロセッサコア」という用語は、文脈がそうでないことを明確に要求していない限り、同義語と考えられてもよい。さらに、コンピュータ１６００は、大容量記憶デバイス１６０６（例えば、ディスケット、ハードドライブ、コンパクトディスクリードオンリーメモリ（ＣＤ−ＲＯＭ）等）、入力／出力デバイス１６０８（例えば、ディスプレイ、キーボード、カーソルコントロール、リモートコントロール、ゲーミングコントロール、画像キャプチャデバイス等）および通信インターフェース１６１０（例えば、ネットワークインターフェースカード、モデム、赤外線受信機、無線受信機（例えば、ブルートゥース）等）を備えてもよい。エレメントは、１以上のバスを表すことがあるシステムバス１６１２を通じて互いに結合されてもよい。複数のバスのケースでは、これらは、１以上のバスブリッジ（示していない）によりブリッジされてもよい。
【００４９】
これらのエレメントのそれぞれは、技術的に知られているその従来の機能を行ってもよい。特に、システムメモリ１６０４および大容量記憶デバイス１６０６は、ここで説明するプロセスで示すような、管理されたデータの発行に関係する動作を実現するプログラミング命令の作業コピーおよびパーマネントコピーを記憶するのに用いられてもよい。様々なエレメントはプロセッサ１６０２によりサポートされるアセンブラ命令により、または、このような命令にコンパイルできる、例えばＣのような高級言語により実現されてもよい。
【００５０】
プログラミング命令のパーマネントコピーは、例えば、コンパクトディスク（ＣＤ）のような、分散媒体（示していない）を通して、または、（分散サーバ（示していない）からの）通信インターフェース１６１０を通して、ファクトリー中またはフィールド中のパーマネント記憶デバイス１６０６に置かれてもよい。すなわち、ここで説明するプロセスの実現を有する１以上の分散媒体は、プログラミング命令を配信し、様々なコンピューティングデバイスをプログラミングするのに用いられてもよい。
【００５１】
これらのエレメント１６１０〜１６１２の数、能力および／または容量は、コンピュータ１６００がＤＭＭ１５０またはＭＤＵＩ  １８０として使用されるかに依存して、変動してもよい。これらの構成は別の方法で知られており、したがって、さらに説明しない。
【００５２】
図１７は、ＤＭＭ１５０およびＭＤＵＩ  １８０に関係する動作のうちの全てまたは選択された１つを実施するように構成された命令を有する、少なくとも１つの例示的なコンピュータ読取可能記憶媒体１７０２を示す。示すように、少なくとも１つのコンピュータ読取可能記憶媒体１７０２は、多数のプログラミング命令１７０４を含んでもよい。プログラミング命令１７０４は、デバイス、例えば、コンピュータ１６００が、プログラミング命令の実行に応答して、例えば、ここで説明するプロセスの様々な動作を行うことができるように構成されていてもよいが、発行された管理されたデータに対して行われる様々な動作に限定されない。代替的な実施形態では、プログラミング命令１７０４は、その代わりに、複数の少なくとも１つのコンピュータ読取可能記憶媒体１７０２上に配置されてもよい。
【００５３】
図１６の参照に戻ると、１つの実施形態に対して、プロセッサ１６０２のうちの少なくとも１つは、ここで説明するプロセスの態様を実施するように構成されている計算論理１６２２とともにパッケージングされてもよい。１つの実施形態に対して、プロセッサ１６０２のうちの少なくとも１つは、システム・イン・パッケージ（ＳｉＰ）を形成するために、ここで説明するプロセスの態様を実施するように構成されている計算論理１６２２とともにパッケージングされてもよい。１つの実施形態に対して、プロセッサ１６０２のうちの少なくとも１つは、ここで説明するプロセスの態様を実施するように構成されている計算論理１６２２と同じダイに一体化されてもよい。１つの実施形態に対して、プロセッサ１６０２のうちの少なくとも１つは、システム・オン・チップ（ＳｏＣ）を形成するために、ここで説明するプロセスの態様を実施するように構成されている計算論理１６２２とともにパッケージングされてもよい。少なくとも１つの実施形態に対して、ＳｏＣは、例えば、コンピューティングタブレットで利用されてもよいが、これに限定されない。
【００５４】
上述した技法を行うための、コンピュータ読取可能媒体（少なくとも１つのコンピュータ読取可能媒体を含む）、方法、装置、システムおよびデバイスは、ここで開示する実施形態の例示的な例である。さらに、上述した対話における他のデバイスは、様々な開示された技法を行うように構成されていてもよい。
【００５５】
説明の目的のために、ある実施形態がここで示され、説明されてもよいが、同じ目的を達成するために計算された、広い範囲の代替的および／または均等な実施形態あるいは実現が、本開示の範囲から逸脱することなく示され、説明される実施形態と置き換えられてもよい。この適用は、ここで論じる実施形態の任意の適合またはバリエーションをカバーすることを意図している。そのため、ここで説明した実施形態が特許請求の範囲によってのみ限定されないことを明らかに意図している。
【００５６】
開示が「１つの（ａ）」または「第１の（ａ  ｆｉｒｓｔ）」エレメントまたはそれらの均等物について述べる場合、このような開示は１以上のこのようなエレメントを含み、２以上のこのようなエレメントを必要とすることも、除外することもない。さらに、識別されたエレメントに対する序数の表示（例えば、第１の、第２の、または第３の）は、エレメント間を区別するために使用され、このようなエレメントの必要とされる数または限定される数を示すことも示唆することもなく、そうではないと特に述べられない限り、これらがこのようなエレメントの特定のポジションまたは順序を示すこともない。
【符号の説明】
【００５７】
１１０    ：データ生成者
１２０    ：データソース
１３０    ：データ記憶装置
１５０    ：データ管理モジュール
１５５    ：ビジネスルール
１７０    ：ユーザデバイス
１８０    ：データユーザインターフェースモジュール
１９０    ：通信モジュール
２００    ：プロセス
３００    ：プロセス
４００    ：プロセス
５００    ：プロセス
５００    ：ユーザインターフェース
８００    ：プロセス
１６００  ：コンピュータ
１６０２  ：プロセッサコア
１６０２  ：プロセッサ
１６０４  ：システムメモリ
１６０６  ：パーマネント記憶デバイス
１６０６  ：大容量記憶デバイス
１６０８  ：出力デバイス
１６１０  ：エレメント
１６１０  ：通信インターフェース
１６１１  ：エレメント
１６１２  ：システムバス
１６１２  ：エレメント
１６２２  ：計算論理
１７０２  ：コンピュータ読取可能記憶媒体
１７０４  ：プログラミング命令
【図１】
2015092340.tif 000003
【図２】
2015092340.tif 000004
【図３】
2015092340.tif 000005
【図４】
2015092340.tif 000006
【図８】
2015092340.tif 000007
【図１６】
2015092340.tif 000008
【図１７】
2015092340.tif 000009
【図５】
2015092340.tif 000010
【図６】
2015092340.tif 000011
【図７】
2015092340.tif 000012
【図９】
2015092340.tif 000013
【図１０】
2015092340.tif 000014
【図１１】
2015092340.tif 000015
【図１２】
2015092340.tif 000016
【図１３】
2015092340.tif 000017
【図１４】
2015092340.tif 000018
【図１５】
2015092340.tif 000019
【外国語明細書】
2015092340000001.pdf